(57)【要約】【課題】トイレブース１において、ドア体３を、下端面部３ａを下げて盗撮できないよう床面Ｆとのあいだの間隙Ｘを小さくした場合に、下側ヒンジ１２の正面パネル２の下端面部２ｃから下方に大きく延出する縦片部１２ａが、巾木５とのあいだの隙間Ｙを変形代として変形するのを防止する。【解決手段】巾木５の縦端面部５ａと下側ヒンジ１２の縦片部１２ａとのあいだに形成される隙間Ｙにスペーサ１３を設けて前記変形代を塞ぐことで該縦片部１２ａの変形を防止する。【選択図】図３
2020122346.tif 000002
【特許請求の範囲】
【請求項１】
躯体側の支持部材に、Ｌ字形に折曲した下側ヒンジの縦片部を固定する一方、該下側ヒンジの水平状の下片部に設けた軸支部にドア体の下端面部を開閉自在に軸支した開き戸装置において、前記支持部材と下側ヒンジの縦片部とのあいだに形成される隙間にスペーサを設けたことを特徴とする開き戸装置。
【請求項２】
支持部材は、床面側に支持される巾木と、該巾木に下端面部が支持される正面パネルとを備えて構成され、隙間は、巾木の吊元側端縁が正面パネルの下側ヒンジ縦片部の取付け面に対して後退していることにより形成されるものであり、スペーサは、巾木の吊元側端縁と下側ヒンジの縦片部とのあいだの隙間に設けられることを特徴とする請求項１記載の開き戸装置。
【請求項３】
スペーサは、前記隙間のうち、少なくとも下側ヒンジ縦片部の下端部部位の隙間に設けられていることを特徴とする請求項１または２記載の開き戸装置。
【請求項４】
スペーサは、前記隙間の略全長に亘って設けられていることを特徴とする請求項１乃至３の何れか１記載の開き戸装置。
【発明の詳細な説明】
【技術分野】
【０００１】
本発明は、建造物の出入り口に建て付けられる開き戸装置の技術分野に関するものである。
【背景技術】
【０００２】
今日、建造物の出入り口に、躯体側の支持部材に対してヒンジを介して開き戸用のドア体（戸体、扉体）を開閉揺動自在に軸支した開き戸装置を建て付けることがあり、このような開き戸装置の中には、例えば公園や駅、学校のように公共施設のトイレブースに設けられるものがある。
このような開き戸装置のドア体は、下端面部を床面に対して相当の間隙（例えば６０ｍｍ）を存する状態で取付けることが一般的に行われており、この場合に、トイレブースの正面部を仕切る正面パネル（パネル体）を躯体側の支持部材とし、該正面パネルに上下のヒンジを介してドア体を開閉揺動自在に軸支するように構成したものがあり、この場合に、下側ヒンジとして、縦片部と、該縦片部の下端面部から水平状に延出した下片部とを備えたＬ字形をし、前記下片部にドア体の吊元側の下端面部をピボット軸部（支軸部、軸支部）を介して揺動自在に軸支するようにしたものが知られている（例えば、特許文献１参照）。
ところがこのようなトイレブースにおいて、ドア体の下端面部と床面とのあいだに前述したような間隙が設けられたものでは、該間隙からカメラを差込んで盗撮する等の被害が近時報告され、そこで、前記間隙を小さくしてほしい、という要求がある。
ところで、トイレブースに設けられる正面パネルは、一般に下端面部が巾木を介して床面に対して上下移動調節自在に支持される構成としているが、この様なものにおいて、ドア体の下端面部と床面との間隙を小さくしようとすると、ドア体の下端面部は、正面パネルの下端面部よりも低くなって床面に近い巾木部位に位置することになり、このため下側ヒンジの縦片部は、正面パネルの下端面部位置よりも下方に長く延出（突出）して巾木の吊元側縦端面部と対向する状態となるが、このとき、下側ヒンジの縦片部が、該下側ヒンジの縦片部と巾木の縦端面部との対向間に形成される隙間が変形代となってドア体の重量を受けて変形してしまう惧れがある。
そこで従来、下側ヒンジの前記変形を防止するため、下側ヒンジの下片部と床面との間に形成される隙間に、板状体からなる変形防止部材をスペーサとして介入するようにした技術が提唱されている（例えば、特許文献２参照）。
【先行技術文献】
【特許文献】
【０００３】
【特許文献１】特開２０１３−８７４５１号公報
【特許文献２】特開２０１７−１９３８２６号公報
【発明の概要】
【発明が解決しようとする課題】
【０００４】
しかるに、前記従来の変形防止部材は、下側ヒンジの下片部と床面との間に形成される間隙に、下側ヒンジの下片部および床面に接する状態で設けることで下側ヒンジの変形防止をするものであるから、変形防止部材の高さ寸法を、下側ヒンジの下片部と床面とのあいだの間隙の寸法と一致するように設定する必要がある。しかしながら、下側ヒンジの下片部と床面とのあいだの間隙の寸法は、下側ヒンジの取付け位置や床面の状態等によって少なからず誤差が生じるため、施工現場において変形防止部材の高さ寸法をいちいち調節して合わせる必要があるが、このような調節に手間がかかるだけでなく、清掃時の水に触れて早期に腐食や劣化をしてしまう等の問題があり、ここに本発明の解決すべき課題がある。
【課題を解決するための手段】
【０００５】
本発明は、上記の如き実情に鑑みこれらの課題を解決することを目的として創作されたものであって、請求項１の発明は、躯体側の支持部材に、Ｌ字形に折曲した下側ヒンジの縦片部を固定する一方、該下側ヒンジの水平状の下片部に設けた軸支部にドア体の下端面部を開閉自在に軸支した開き戸装置において、前記支持部材と下側ヒンジの縦片部とのあいだに形成される隙間にスペーサを設けたことを特徴とする開き戸装置である。
請求項２の発明は、支持部材は、床面側に支持される巾木と、該巾木に下端面部が支持される正面パネルとを備えて構成され、隙間は、巾木の吊元側端縁が正面パネルの下側ヒンジ縦片部の取付け面に対して後退していることにより形成されるものであり、スペーサは、巾木の吊元側端縁と下側ヒンジの縦片部とのあいだの隙間に設けられることを特徴とする請求項１記載の開き戸装置である。
請求項３の発明は、スペーサは、前記隙間のうち、少なくとも下側ヒンジ縦片部の下端部部位の隙間に設けられていることを特徴とする請求項１または２記載の開き戸装置である。
請求項４の発明は、スペーサは、前記隙間の略全長に亘って設けられていることを特徴とする請求項１乃至３の何れか１記載の開き戸装置である。
【発明の効果】
【０００６】
請求項１の発明とすることにより、ドア体の下端面部を低くして床面とのあいだの隙間を小さくして盗撮防止を図ることができながら、このようにすることにより躯体側の支持部材から長く下方に延出することになる下側ヒンジの縦片部の変形防止を、施工誤差等に影響されやすい床面とのあいだでなく、前記支持部材とのあいだの隙間に設けられるスペーサによりできることになって施工性に優れると共に、清掃時に水に接触することにより早期に腐食してしまう等の不具合を回避できることになる。
請求項２の発明とすることにより、躯体側の支持部材が巾木と正面パネルとを備えたもので構成され、かつ正面パネルの下側ヒンジ取付け面と巾木の吊元側縦端面部とのあいだに形成される隙間が変形代となって下側ヒンジの縦片部が変形することを、該隙間に設けたスペーサによって確実に回避できることになる。
請求項３の発明とすることにより、下側ヒンジ縦片部の大きな負荷が働いて変形しやすい下側ヒンジ縦片部の下端部部位の支持がスペーサでできることになって構造の簡略化が図れることになる。
請求項４の発明とすることにより、正面パネルの下側ヒンジ取付け面と巾木の吊元側縦端面部とのあいだに形成される隙間全体を塞ぐ状態でスペーサが設けられることになって、該隙間にゴミが挟まったりすることを回避して外観性が損なわれることがない。
【図面の簡単な説明】
【０００７】
【図１】（Ａ）（Ｂ）はトイレブースの概略平面図、正面図である。
【図２】トイレブースの横断平面図である。
【図３】ドア体の吊元側部位の天井部を省略した正面図である。
【図４】下側ヒンジ部位の横断平面図である。
【図５】正面パネル体の吊元部位の側面図である。
【図６】正面パネル体の固定機能付きフロアジャッキ具部位の縦断側面図である。
【図７】正面パネル体の固定機能のないフロアジャッキ具部位の縦断側面図である。
【図８】下側ヒンジ部位の縦断正面図である。
【図９】下側ヒンジの縦片部部位の横断平面図である。
【図１０】第二の実施の形態の下側ヒンジ部位の縦断正面図である。
【発明を実施するための形態】
【０００８】
以下、本発明の実施の形態について、図面に基づいて説明する。図面において、１はトイレブース、２はトイレブース１を構成する正面パネル（パネル体）であって、左右に隣接する正面パネル２間には出入り口となる開口部Ｓが形成されており、該開口部Ｓに、正面パネル２を躯体側の支持部材にする状態で開き戸式のドア体３が開閉自在に設けられている。尚、ドア体３の吊元側、戸先側の縦端面部３ｂにはそれぞれエッジ材３ｃ、３ｄが設けられている。
【０００９】
前記正面パネル２は、床面Ｆから天井板Ｃにまで至る長尺のものであって、該正面パネル２の上端部には支持金具２ａが設けられ、天井板Ｃに固定された天井レール４に支持金具２ａをビス４ａを介して固定することで天井板Ｃ側に支持されるようになっている。
【００１０】
一方、正面パネル２の下端面部２ｃは、冂字形をした巾木５の上端面部５ｂに当接する状態で設けられるが、該巾木５は、床面Ｆに固定された凵字形の床レール６に上下動自在に外嵌しているとともに、これら巾木５と床レール６とのあいだに設けられる二種類のフロアジャッキ具７、８によって、正面パネル２は、高さ位置調節された状態で床面Ｆに固定できるように構成されており、このようにして本実施の形態の躯体側の支持部材が構成されている。
【００１１】
次に、前記フロアジャッキ具７、８について簡単に説明するが、一方のフロアジャッキ具７は固定機能付きのものであって、正面パネル２の下端面部２ｃに固定（本実施の形態では、該下端面部２ｃに形成した冂字形をした凹溝の溝底面２ｄにビス２ｅを介して固定）された固定ピン７ａと、床面Ｆにアンカー用のビス７ｂを介して固定されたクランク状に折曲された固定金具７ｃと、上片が巾木５の上端面部５ｂに下側から当接する状態で固定金具７ｃに対して上下移動自在に設けられ、ビス７ｅを介して固定金具７ｃに固定される可動金具７ｄと、巾木５の上端面部５ｂに上側から当てがわれ、前記可動金具７ｄの上片に巾木５の上端面部５ｂを挟持する状態でビス７ｉを介して固定されるピン受け７ｆと、固定金具７ｃに対する可動金具７ｄの上下移動調節をすることで、正面パネル２を含めた巾木５の床面Ｆに対する上下位置調節をするためボルト頭が可動金具７ｄに当接すると共に螺子部が固定金具７ｃに螺入する調節ボルト７ｇと、冂字形をしていて床レール６に内嵌し、天井部が固定金具７ｃに当接する状態で調節ボルト７ｇが螺入する支持金具７ｈとを備えて構成されている。
一方、固定機能のないフロアジャッキ具８は、冂字形をし、床レール６に内嵌する支持金具８ａと、ボルト頭が巾木５の上端面部５ｂに当接し、螺子部が支持金具８ａに螺入する調節ボルト８ｂとを用いて構成され、調節ボルト８ｂを回転することにより支持金具８ａに対して調節ボルト８ｂを上下動させることで正面パネル２の高さ調節ができるようになっている。
そして正面パネル２の高さ調節を伴った組付け作業の手順について簡単に説明すると、まず調節ボルト７ｇ、８ｂを回転させて高さ調節をした後、固定金具７ｃに可動金具７ｄをビス７ｅを介して固定し、しかる後、巾木５を、上端面部５ｂが可動金具７ｄ、調節ボルト８ｂに当接する状態でセットし、この状態からさらにピン受け７ｆを巾木５の上端面部５ｂに載置した状態でビス７ｉを介して該ピン受け７ｆの固定をする。そしてこのようにして固定されたピン受け７ｆに固定ピン７ａを係合支持する状態で正面パネル２をセットすることにより、該正面パネル２の床面Ｆに対する高さ調節を伴った取付け支持がなされるようになっている。
【００１２】
また、正面パネル２の左右縦端面部２ｂには、ドア体３の吊元側あるいは戸先側に対応する状態で吊元側エッジ材９、戸先側エッジ材１０がそれぞれ取り付けられている。吊元側エッジ材９は、前後方向（正面パネル２の厚み方向、見込み方向）中央部に凹溝状に凹んだ取付け面部９ａが形成されており、該取付け面部９ａに、ドア体３の吊元側上下縦端面部を開閉自在に支持（軸支）するため上下のヒンジ（取付け具）１１、１２が後述するように取付けられるようになっている。
【００１３】
前記上側ヒンジ１１は、上下方向を向く縦片部１１ａと、該縦片部１１ａの上端部から水平方向に折曲された上片部１１ｂとを備えた逆Ｌ字形状の金具と、ドア体３の上端面部にビス１１ｃを介して取付けられる取付け金具１１ｄと、上片部１１ｂに設けられ、ドア体３を開閉揺動自在に軸支するためのピボット軸部１１ｅとを備えて構成されおり、そして縦片部１１ａを吊元側エッジ材９の取付け面部９ａの上端部にビス１１ｆを介して取付けることで、上側ヒンジ１１を正面パネル２に取付けることができるようになっている。
【００１４】
一方、下側ヒンジ１２は、上下方向を向く縦片部１２ａと、該縦片部１２ａの下端部から水平方向に折曲された下片部１２ｂとを備えたＬ字形状の金具と、ドア体３の下端面部３ａにビス１２ｃを介して取付けられる取付け金具１２ｄと、下片部１２ｂに設けられ、ドア体３を開閉揺動自在に軸支するためのピボット軸部１２ｅとを備えて構成され、縦片部１２ａを吊元側エッジ材９の取付け面部９ａの下端部にビス１２ｆを介して取付けるようになっている。
【００１５】
そしてこのようにしてドア体３を正面パネル２に開閉揺動自在に取付ける場合に、本発明が実施されたドア体３は、従来の取付け仕様のようにドア体３の下端面部３ａの床面Ｆとのあいだの間隙Ｘが例えば６０ｍｍと大きく設定されていて、下端面部３ａが巾木５の上端面部よりも僅かに低い位置（近傍位置）に設定されるもの（図示なし）ではなく、床面Ｆに近接した下側位置となるよう設定されており、このため下側ヒンジ１２の縦片部１２ａは、正面パネル２の下端面部２ｃ位置よりも下方に長く延出していて、後述するように巾木５の吊元側縦端面部５ａに対向した状態となる。
この場合に、ドア体３の下端面部３ａと床面とのあいだに間隙Ｘを設ける理由は、トイレブース１が例えば駅や公園等の公共の場所に建て付けられるようなものでは、床面Ｆに水道水を直接流す等して掃除することがあり、このような場合に水の流れを阻害しないよう配慮すると共に、流れる水にドア体３が濡れる（触れる、浸かる）ことでドア体３が早期のうちに損傷（腐食等による）してしまうことを回避したい等の要求によるものであり、このため、該要求を満たしながら盗撮ができないような間隙Ｘとして、例えば１５ｍｍという狭いものを設定（提案）することができる。
【００１６】
前述したように、ドア体３の下端面部３ａを床面Ｆに近いもの（近接したもの）に設定した場合、下側ヒンジ１２の縦片部１２ａは、前述したように正面パネル２の下端面部２ｃ位置よりも下方に長く延出していて、巾木５の吊元側縦端面部５ａに対向した状態になるが、該縦片部１２ａは、正面パネル２に取付けられた吊元側エッジ材９の取付け面部９ａに設けられるものであるため、該取付け面部９ａの厚み分、少なくとも正面パネル２の縦端面部２ｂよりもドア体３側に偏倚する状態で設けられるものであり、さらには慣習的に巾木５の吊元側縦端面部５ａを、正面パネル２の吊元側縦端面部２ｂに対して後退する位置に配した構成にするようになっており、このようなことから、下側ヒンジ１２の縦片部１２ａと巾木５の吊元側縦端面部５ａとのあいだに隙間Ｙが生じることになり、この隙間Ｙにスペーサ１３を設け、これによってドア体３の荷重を受ける下側ヒンジ１２の縦片部１２ａが、前記隙間Ｙを変形代として巾木５側に曲がってしまうような不具合を回避するように設定されているが、本実施の形態では、スペーサ１３は、前記隙間Ｙの略全長に亘ったものとして設けられている。
因みにスペーサ１３は、巾木５側に支持（固定）したもの、下側ヒンジ１２の縦片部１２ａ側に支持したもの、両者に支持したものの何れかにすることが好ましいが、支持することなく単純に挟持しただけであっても実施することができる。そしてスペーサ１３を支持するための手段としては、接着剤や粘着剤による支持（接着、粘着）、両面粘着テープによる支持、ビス（螺子）等の支持手段を用いた支持等、適宜の支持手段を採用できることは言うまでもない。
【００１７】
叙述の如く構成された本実施の形態において、躯体側の支持部材を構成する正面パネル２に、Ｌ字形に折曲した下側ヒンジ１２の縦片部１２ａを固定する一方、該下側ヒンジ１２の水平状の下片部１２ｂに設けたピボット軸部１２ｅにドア体３の下端面部３ａを開閉自在に軸支することで本実施の形態の開き戸装置が構成されているが、この場合に、前記下側ヒンジ１２の縦片部１２ａと巾木５の吊元側縦端面部５ａとのあいだに隙間Ｙ、具体的に本実施の形態でいえば、正面パネル２の下端面部２ｃを支持する状態で床面Ｆ側に支持される巾木５の吊元側縦端面部５ａと下側ヒンジ縦片部１２ａとのあいだに形成される隙間Ｙにスペーサ１３が設けられている結果、ドア体３の下端面部３ａを低くして床面Ｆとのあいだの間隙Ｘを小さくして盗撮防止を図ることができるものでありながら、このようにすることにより正面パネル２の下端面部２ｃから長く下方に延出することになた縦片部１２ａが、巾木５の吊元側縦端面部５ａとのあいだに形成される隙間Ｙが変形代となって変形するのを、該隙間Ｙを塞ぐようにして設けたスペーサ１３によって防止できることになる。
そしてこの場合の下側ヒンジ１２の縦片部１２ａの変形防止は、施工誤差等に影響されやすい床面Ｆとのあいだではなく、巾木５の吊元側縦端面部５ａとのあいだに形成される隙間Ｙに設けられるスペーサ１３によりできるため、床面Ｆとのあいだに発生する施工時の誤差に影響されることがないだけでなく、床面Ｆに接触することもないため清掃時の水に長時間接触（浸漬）することからも有効に回避されて早期に腐食してしまう等の不具合を回避できることになる。
【００１８】
しかもこのものでは、前記スペーサ１３は、巾木５の吊元側縦端面部５ａと下側ヒンジ縦片部１２ａとのあいだに形成される隙間Ｙの略全体を塞ぐよう該隙間Ｙの略全長に亘って設けられるものであるから、該隙間Ｙにゴミが挟まったりすることを回避して外観性が損なわれることがない。
【００１９】
尚、本発明は前記実施の形態に限定されるものでないことは勿論であって、下側ヒンジ１２の縦片部１２ａの変形防止を目的とするものである場合に、図１０に示す第二の実施の形態のように、スペーサ１３を、下側ヒンジ１２の縦片部１２ａの下端部部位の隙間部位に設けたものとしてもよく、このようにすることで、スペーサ１３の構造の簡略化が図れることになる。
【産業上の利用可能性】
【００２０】
本発明は、トイレブース等の出入り口に建て付けられる開き戸装置として利用することができる。
【符号の説明】
【００２１】
１  トイレブース
２  正面パネル
２ｂ  縦端面部
２ｃ  下端面部
３  ドア体
３ａ  下端面部
３ｂ  縦端面部
５  巾木
５ａ  縦端面部
９  吊元側エッジ材
９ａ  取付け面部
１２  下側ヒンジ
１２ａ  縦片部
１２ｂ  下片部
Ｆ  床面
Ｓ  開口部
Ｘ  間隙
Ｙ  隙間
【図１】
2020122346.tif 000003
【図２】
2020122346.tif 000004
【図３】
2020122346.tif 000005
【図４】
2020122346.tif 000006
【図５】
2020122346.tif 000007
【図６】
2020122346.tif 000008
【図７】
2020122346.tif 000009
【図８】
2020122346.tif 000010
【図９】
2020122346.tif 000011
【図１０】
2020122346.tif 000012